(57)【要約】      （修正有）【課題】家庭用汎用プリンターを用いても簡単に任意の印刷を施すことができ、両面印刷を施しても型抜き加工線の分断や台紙の曲折等が生じない手作りうちわ用台紙を提供する。【解決手段】台紙２と、台紙に設けられた第１加工線４及び第２加工線８と、第１加工線によって外周が確定されるうちわ部６と、第２加工線によって外周が確定される切取部１０と、を有し、第１加工線及び第２加工線が等間隔に形成された切り目であること、を特徴とする。【選択図】図１
0003184333.tif 000002
【実用新案登録請求の範囲】
【請求項１】
台紙と、
前記台紙において、第１加工線によって外周が確定されるうちわ部と、
前記うちわ部において、第２加工線によって外周が確定される切取部と、を有し、
前記第１加工線及び前記第２加工線が等間隔に形成されたミシン目状の切り目で構成されていること、
を特徴とする手作りうちわ用台紙。
【請求項２】
前記切り目の長さが５〜１０ｍｍであり、
隣り合う前記切り目間の部分（非切り目）の距離が０．５〜１．５ｍｍであること、
を特徴とする請求項１に記載の手作りうちわ用台紙。
【請求項３】
前記切り目の長さが６〜９ｍｍであり、
隣り合う前記切り目間の部分（非切り目）の距離が０．８〜１．２ｍｍであること、
を特徴とする請求項１に記載の手作りうちわ用台紙。
【請求項４】
前記台紙の厚さが四／六判で２００〜２５０Ｋ、菊判で１３０〜１８０Ｋであること、
を特徴とする請求項１〜３のうちのいずれかに記載の手作りうちわ用台紙。
【請求項５】
前記台紙の厚さが四／六判で２２０〜２３０Ｋ、菊判で１５０〜１６０Ｋであること、
を特徴とする請求項１〜３のうちのいずれかに記載の手作りうちわ用台紙。
【考案の詳細な説明】
【技術分野】
【０００１】
本考案は、家庭用汎用プリンターを用いて、簡単に任意の印刷を施したうちわを作製することができる手作りうちわ用台紙に関する。
【背景技術】
【０００２】
近年の節電要求に伴ってうちわの需要が急激に増加しており、企業や個人への情報伝達媒体としても注目されている。企業や個人が受け取るダイレクトメール等は、受領されてから間もなく廃棄処分されてしまうことが多いが、うちわに必要な情報を印刷することで、効果的に宣伝や販売促進を行うことができる。
【０００３】
これに対し、特許文献１（登録実用新案第３１７９９６３号公報）では、台紙に型抜き加工線と当該型抜き加工線によって周囲が確定されるうちわ部を設けたダイレクトメール用印刷物が提案されている。
【０００４】
前記特許文献１に記載されているダイレクトメール用印刷物においては、ダイレクトメール用印刷物の受領者は、台紙からうちわ部を切り取って、うちわ部をうちわとして使用することができ、うちわ部が直ぐに廃棄処分されることが少なくなるとしている。また、これにより、長時間にわたって宣伝効果や販売促進効果を得ることができ、うちわ部は使用者の目に留まりやすい形態で使用されるため、効果的に情報伝達を行うことができるとしている。
【先行技術文献】
【特許文献】
【０００５】
【特許文献１】登録実用新案第３１７９９６３号公報
【考案の概要】
【考案が解決しようとする課題】
【０００６】
しかしながら、上記特許文献１において提案されているダイレクトメール用印刷物はインクジェットプリンター等の家庭用汎用プリンターで印刷を行う場合、型抜き加工線の分断や台紙の曲折等が生じやすく、特に両面印刷を施す場合は深刻な問題となっていた。
【０００７】
そこで、本考案は、家庭用汎用プリンターを用いても簡単に任意の印刷を施したうちわを作製することができる手作りうちわ用台紙の提供を目的とし、より具体的には、両面印刷を施しても型抜き加工線の分断や台紙の曲折等が生じない手作りうちわ用台紙の提供を目的とする。
【課題を解決するための手段】
【０００８】
上述した課題を解決すべく、本考案は、
台紙と、
前記台紙において、第１加工線によって外周が確定されるうちわ部と、
前記うちわ部において、第２加工線によって外周が確定される切取部と、を有し、
前記第１加工線及び前記第２加工線が等間隔に形成されたミシン目状の切り目（スリット）で構成されていること、
を特徴とする手作りうちわ用台紙、
を提供する。
【０００９】
上記のような構成を有する本考案の手作りうちわ用台紙では、前記切り目の長さが５〜１０ｍｍであり、隣り合う前記切り目間の部分（非切り目）の距離が０．５〜１．５ｍｍであること、が好ましい。
【００１０】
切り目の長さを５〜１０ｍｍとし、かつ、隣り合う切り目間の部分（非切り目）の距離を０．５〜１．５ｍｍとすることで、うちわ用台紙からのうちわ部の良好な離脱特性と家庭用汎用プリンターでの両面印刷処理に十分耐えることができる強度とを両立させることができる。
【００１１】
かかる効果をより確実に実現するために、前記切り目の長さが６〜９ｍｍであり、隣り合う前記切り目間の部分（非切り目）の距離が０．８〜１．２ｍｍであること、がより好ましい。
【００１２】
更に、上記のような構成を有する本考案の手作りうちわ用台紙では、前記台紙の厚さが四／六判で２００〜２５０Ｋ、菊判で１３０〜１８０Ｋであること、が好ましい。
【００１３】
台紙の厚さを四／六判で２００〜２５０Ｋ、菊判で１３０〜１８０Ｋとすることで、家庭用汎用プリンターを用いた印刷時においてもうちわ用台紙が皺になりにくい。加えて、うちわ部をうちわとして使用する際の適当な強度及びしなやかさを実現することができる。
【００１４】
かかる効果をより確実に実現するために、前記台紙の厚さが四／六判で２２０〜２３０Ｋ、菊判で１５０〜１６０Ｋであること、がより好ましい。
【考案の効果】
【００１５】
上記本考案は、台紙に等間隔に形成された切り目を有しているため、台紙に印刷を施した後、うちわ部を切り離してうちわとして用いることができる。また、切り目の長さと配置間隔、及び台紙の厚さの最適化により、家庭用汎用プリンターを用いて両面印刷してもうちわ部の分断や台紙の曲折、台紙の引っかかり等が生じない。
【００１６】
加えて、うちわ部は適当な強度としなやかさを兼ね備えているため、うちわとして好適に用いることができる。
【図面の簡単な説明】
【００１７】
【図１】本考案の一実施形態に係る手作りうちわ用台紙の概略正面図である。
【図２】本考案で用いる加工線の概略図である。
【図３】本考案の第二の実施形態に係る手作りうちわ用台紙の概略正面図である。
【図４】本考案の第三の実施形態に係る手作りうちわ用台紙の概略正面図である。
【図５】本考案の第四の実施形態に係る手作りうちわ用台紙の概略正面図である。
【図６】本考案の第五の実施形態に係る手作りうちわ用台紙の概略正面図である。
【図７】本考案の第六の実施形態に係る手作りうちわ用台紙の概略正面図である。
【図８】本考案の第七の実施形態に係る手作りうちわ用台紙の概略正面図である。
【考案を実施するための形態】
【００１８】
以下、本考案の代表的な実施形態に係る手作りうちわ用台紙について、図面を参照しつつ詳細に説明するが、本考案の手作りうちわ用台紙が図示されるものに限られないことはいうまでもない。また、以下の説明では、同一又は相当部分には同一符号を付し、重複する説明は省略することもある。図面は、本考案を概念的に説明するためのものであるから、理解容易のために、必要に応じて寸法、比又は数を誇張又は簡略化して表している場合もある。
【００１９】
図１には、本考案の一実施形態に係る手作りうちわ用台紙の概略正面図を示している。手作りうちわ用台紙１は、台紙２に第１加工線４と、第１加工線４によって外周が確定されるうちわ部６と、第２加工線８と、第２加工線８によって外周が確定される切取部１０と、を有している。
【００２０】
台紙２の材質は一般的なプリンターによる印刷が可能であれば特に限定されず、一般的に流通している種々の印刷用厚紙を使用することができる。また、台紙２のサイズも特に限定されないが、家庭用汎用プリンターを用いて印刷が可能であり、台紙２の内部から実用的な大きさのうちわ部６を切り出すという観点から、Ａ４サイズとすることが好ましい。
【００２１】
台紙２の厚さは薄過ぎると切り出したうちわ部６の強度が不十分でうちわとして用いることが困難となり、厚過ぎるとうちわ部６のしなやかさが乏しくなり、うちわとして不都合となる。加えて、厚過ぎる場合は家庭用汎用プリンターでの印刷が困難となることから、台紙２の厚さは四／六判で２００〜２５０Ｋ、菊判で１３０〜１８０Ｋとすること、が好ましく、更には、四／六判で２２０〜２３０Ｋ、菊判で１５０〜１６０Ｋとすること、がより好ましい。
【００２２】
第１加工線４と第２加工線８とは台紙２を貫通する切り目であり、当該切り目の長さを５〜１０ｍｍとし、かつ、隣接する切り目間の距離（非切り目部分の長さ）を０．５〜１．５ｍｍとすることが好ましく、更には、当該切り目の長さを６〜９ｍｍとし、かつ、隣接する切り目間の距離（非切り目部分の長さ）を０．８〜１．２ｍｍとすることが好ましくい。これにより、台紙２からのうちわ部６の良好な離脱特性と、家庭用汎用プリンターでの両面印刷処理に十分耐えることができる強度とを両立させることができる。
【００２３】
第２加工線８に沿って切取部１０をうちわ部６から切り離すことで、うちわ部６に開口部（貫通孔）が形成される。当該開口部はうちわ部６を台紙２から切り離してうちわとして用いる際に、親指等を入れて持つための持手孔として利用することができる。
【００２４】
前記持手孔は人の親指が差し込める程度の大きさであることが好ましく、持手孔の直径（切取部１０の直径）を２０〜５０ｍｍとすることが好ましい。また、持手孔に親指を挿入してうちわ部６を把持するため、持手孔（切取部１０）の中心から第１加工線４までの最短距離を３０〜５０ｍｍとすることが好ましい。
【００２５】
うちわ部６及び切取部１０を含む手作りうちわ用台紙１には、家庭用汎用プリンターを用いて片面又は両面に任意の広告要素等を印刷することができる。広告要素としては、例えば、製品情報、企業情報、ロゴマーク、キャッチフレーズ、絵柄等を用いることができる。製品情報には、例えば、製品外観、製品価格、製品コンセプト、製品の特長、原材料及び使用方法等が挙げられる。企業情報には、例えば、企業名、企業理念、企業の連絡先及び二次元バーコード等が挙げられる。
【００２６】
また、うちわ部６には製品情報や企業情報のみならず、保育園や幼稚園、学校の行事やサークル、スポーツイベント等における写真、応援フレーズ及びメッセージ等を印刷することができる。当該印刷を家庭用汎用プリンターで容易に行うことができるため、印刷を専門業者等に依頼する必要がなく、簡単に所望のうちわを作製することができる。
【００２７】
加えて、切取部１０にクーポン、割引券及び応募券等を印刷することで、うちわ部６から切り離された切取部１０をクーポン、割引券及び応募券等として利用することもできる。
【００２８】
図２には、本考案で用いる加工線の概略図を示している。第１加工線４及び第２加工線８は台紙２を貫通する切り目２０で構成され、切り目２０は一定の間隔で連続的に形成されている。上記のように、切り目２０の長さは５〜１０ｍｍとし、かつ、隣接する切り目間の距離（非切り目部分の長さ）は０．５〜１．５ｍｍとすることが好ましい。
【００２９】
図３には、本考案の第二の実施形態に係る手作りうちわ用台紙の概略正面図を示している。本実施形態においては、切取部１０が２つ設けられており、当該２つの切取部１０をうちわ部６から切り離すことで、持手孔を２つ形成させることができる。持手孔を複数設けることで、うちわ部６を把持する自由度が高くなるだけでなく、１つの持手孔が破れてしまった場合に、他の持手孔を利用することができる。また、切取部１０をクーポン、割引券及び応募券等として利用する場合、枚数が多くなるという利点がある。
【００３０】
図４には、本考案の第三の実施形態に係る手作りうちわ用台紙の概略正面図を示している。本実施形態においては、切取部１０が４つ設けられており、当該４つの切取部１０をうちわ部６から切り離すことで、持手孔を４つ形成させることができる。持手孔を複数設けることで、うちわ部６を把持する自由度が高くなるだけでなく、１つの持手孔が破れてしまった場合に他の持手孔を利用することができる。また、切取部１０をクーポン、割引券及び応募券等として利用する場合、枚数が多くなるという利点がある。
【００３１】
図５には、本考案の第四の実施形態に係る手作りうちわ用台紙の概略正面図を示している。本実施形態においては、子供用第２加工線８’で外周が確定される、子供用にサイズを小さくした子供用切取部１０’が設けられている。子供の指は大人と比較して細いため、持手孔の直径（子供用切取部１０’の直径）を１０〜４０ｍｍとすることが好ましい。また、指の長さも大人と比較して短いため、持手孔（子供用切取部１０’）の中心から第１加工線４までの最短距離を２０〜４０ｍｍとすることが好ましい。
【００３２】
図６には、本考案の第五の実施形態に係る手作りうちわ用台紙の概略正面図を示している。本実施形態においては、大人用の切取部１０と子供用切取部１０’が設けられている。切取部１０及び子供用切取部１０’をうちわ部６から切り離すことで、大人用の持手孔と子供用の持手孔を形成することができ、うちわ部６を大人と子供とが共に使用することができる。
【００３３】
図７には、本考案の第六の実施形態に係る手作りうちわ用台紙の概略正面図を示している。本実施形態においては、第１加工線４が四角形を描いており、第１加工線４に沿ってうちわ部６を台紙２から切り離すことで、四角形のうちわ部６を得ることができる。うちわ部６の形状を四角形とすることで台紙２のスペースを有効活用することができる。
【００３４】
図８には、本考案の第七の実施形態に係る手作りうちわ用台紙の概略正面図を示している。本実施形態においては、第１加工線４が三角形を描いており、第１加工線４に沿ってうちわ部６を台紙２から切り離すことで、三角形のうちわ部６を得ることができる。このように、うちわ部６の形状は特に限定されず、目的に応じて様々な形状とすることができる。
【００３５】
以上、本考案の代表的な実施形態について説明したが、本考案はこれらのみに限定されるものではなく、種々の設計変更が可能である。
【符号の説明】
【００３６】
１・・・手作りうちわ用台紙
２・・・台紙
４・・・第１加工線
６・・・うちわ部
８・・・第２加工線
８’・・・子供用第２加工線
１０・・・切取部
１０’・・・子供用切取部
２０・・・切り目。
【図１】
0003184333.tif 000003
【図２】
0003184333.tif 000004
【図３】
0003184333.tif 000005
【図４】
0003184333.tif 000006
【図５】
0003184333.tif 000007
【図６】
0003184333.tif 000008
【図７】
0003184333.tif 000009
【図８】
0003184333.tif 000010